(57)【特許請求の範囲】
【請求項１】
円柱形状のワークの外周面を研削加工する円柱形状の研削砥石と、
前記研削砥石との間に前記ワークを挟むようにして回転する円柱形状の調整車と、
前記ワークの外周面の下方を支持しながら回転する円柱形状のローラブレードと、
前記研削砥石、前記調整車、及び前記ローラブレードのそれぞれに独立した回転駆動力を付与する回転駆動源と、を備え、
前記ローラブレード及び前記調整車の少なくとも一方が、前記研削砥石に対して、その回転軸の延びる方向が傾くように配置されており、
前記ローラブレード及び前記調整車の回転力を前記ワークの外周面に付与することにより、当該ワークを回転軸方向に前進させるように構成された、円柱部材の外周加工装置。
【請求項２】
前記ワークが、セラミックス、金属、セラミックス／金属複合材、ガラス、樹脂、繊維強化樹脂、及びゴムからなる群より選択される少なくとも１つの材料である、請求項１に記載の円柱部材の外周加工装置。
【請求項３】
前記ワークが、連続押出成形又は連続引き抜き成形により得られた、円柱形状の成形体である、請求項２に記載の円柱部材の外周加工装置。
【請求項４】
前記ワークが、セラミック乾燥体である、請求項１又は２に記載の円柱部材の外周加工装置。
【請求項５】
前記ワークが、セラミックス粉末及び溶媒を少なくとも含む原料からなる成形体に含有される水分の少なくとも一部が気化したセラミックス乾燥体である、請求項４に記載の円柱部材の外周加工装置。
【請求項６】
前記研削砥石による、前記ワークの取り代が、０．０１〜２．０ｍｍである、請求項１〜５のいずれか一項に記載の円柱部材の外周加工装置。
【請求項７】
前記ローラブレードの直径が、２０ｍｍ以上で、且つ前記ワークの直径に対して、１５０％以下である、請求項１〜６のいずれか一項に記載の円柱部材の外周加工装置。
【請求項８】
前記ローラブレードの周長Ｐ１に対する、前記ワークの周長Ｐ２の比（Ｐ２／Ｐ１）が、整数ではない、請求項７に記載の円柱部材の外周加工装置。
【請求項９】
前記ローラブレードの表面の材質が、ウレタンゴム、ニトリルゴム、クロロプレンゴム、エチレンゴム、ブチルゴム、フッ素ゴム、シリコンゴム、天然ゴム、エポキシ樹脂、スポンジ及びフェルトからなる群より選択される少なくとも１つの材料である、請求項１〜８のいずれか一項に記載の円柱部材の外周加工装置。
【請求項１０】
前記調整車の回転軸に対して、前記ローラブレードの回転軸が傾いている、請求項１〜９のいずれか一項に記載の円柱部材の外周加工装置。
【請求項１１】
円柱形状のワークの外周面を研削加工する円柱形状の研削砥石と、円柱形状の調整車と、円柱形状のローラブレードとの間に、円柱形状のワークを挟み、前記研削砥石によって、前記ワークの外周面を研削加工する研削工程を含み、
前記研削工程において、前記研削砥石、前記調整車、及び前記ローラブレードのそれぞれを独立して回転駆動させ、
前記ローラブレード及び前記調整車の少なくとも一方を、前記研削砥石に対して、その回転軸の延びる方向が傾くように配置し、前記ローラブレード及び前記調整車の回転力を前記ワークの外周面に付与することにより、当該ワークを回転軸方向に前進させる、円柱部材の製造方法。
【請求項１２】
前記ワークが、セラミックス、金属、セラミックス／金属複合材、ガラス、樹脂、繊維強化樹脂、及びゴムからなる群より選択される少なくとも１つの材料である、請求項１１に記載の円柱部材の製造方法。
【請求項１３】
前記ワークが、セラミック乾燥体である、請求項１１又は１２に記載の円柱部材の外周加工装置。
【請求項１４】
前記ワークが、セラミックス粉末及び溶媒を少なくとも含む原料からなる坏土を、押出成形し、更に乾燥した、円柱形状のセラミックス乾燥体である、請求項１３に記載の円柱部材の製造方法。
【請求項１５】
前記研削砥石による、前記ワークの取り代が、０．０１〜２．０ｍｍである、請求項１１〜１４のいずれか一項に記載の円柱部材の製造方法。
【請求項１６】
前記ローラブレードの直径が、２０ｍｍ以上で、且つ前記ワークの直径に対して、１５０％以下である、請求項１１〜１５のいずれか一項に記載の円柱部材の製造方法。
【請求項１７】
前記ローラブレードの表面の材質が、ウレタンゴム、ニトリルゴム、クロロプレンゴム、エチレンゴム、ブチルゴム、フッ素ゴム、シリコンゴム、天然ゴム、エポキシ樹脂、スポンジ及びフェルトからなる群より選択される少なくとも１つの材料である、請求項１１〜１６のいずれか一項に記載の円柱部材の製造方法。
【請求項１８】
前記調整車の回転軸に対して、前記ローラブレードの回転軸が傾いている、請求項１１〜１７のいずれか一項に記載の円柱部材の製造方法。
【請求項１９】
前記研削砥石の周速が、前記調整車及び前記ローラブレードの周速より速い、請求項１１〜１８のいずれか一項に記載の円柱部材の製造方法。
【請求項２０】
前記ローラブレードによって、前記研削工程前のワークを、前記研削砥石と前記調整車と前記ローラブレードとの間に挿入するワーク挿入工程を更に含む、請求項１１〜１９のいずれか一項に記載の円柱部材の製造方法。
【請求項２１】
前記ローラブレードによって、前記研削工程によって外周面が研削加工された前記ワークを搬出するワーク搬送工程を更に含む、請求項１１〜２０のいずれか一項に記載の円柱部材の製造方法。
【請求項２２】
円柱形状のワークの外周面を研削加工する円柱形状の研削砥石と、
前記研削砥石との間に前記ワークを挟むようにして配置された板状の案内板と、
前記ワークの外周面の下方を支持しながら回転する円柱形状のローラブレードと、
前記研削砥石、及び前記ローラブレードのそれぞれに独立した回転駆動力を付与する回転駆動源と、を備え、
前記ローラブレードが、前記研削砥石に対して、その回転軸の延びる方向が傾くように配置され、又は、前記案内板が、前記研削砥石に対して、前記案内板と前記ワークとの接触点を結ぶ軸の延びる方向が傾くように配置され、前記ローラブレードの回転力を前記ワークの外周面に付与することにより、当該ワークを回転軸方向に前進させる、円柱部材の外周加工装置。
【請求項２３】
円柱形状のワークの外周面を研削加工する円柱形状の研削砥石と、板状の案内板と、円柱形状のローラブレードとの間に、円柱形状のワークを挟み、前記研削砥石によって、前記ワークの外周面を研削加工する研削工程を含み、
前記研削工程において、前記研削砥石、及び前記ローラブレードのそれぞれを独立して回転駆動させ、
前記ローラブレードを、前記研削砥石に対して、その回転軸の延びる方向が傾くように配置するか、又は、前記案内板を、前記研削砥石に対して、前記案内板と前記ワークとの接触点を結ぶ軸の延びる方向が傾くように配置し、前記ローラブレードの回転力を前記ワークの外周面に付与することにより、当該ワークを回転軸方向に前進させる、円柱部材の製造方法。
【発明の詳細な説明】
【技術分野】
【０００１】
本発明は、円柱部材の外周加工装置、及び円柱部材の製造方法に関する。更に詳しくは、ワークの円筒度が悪くても、簡便に且つ連続的にセンタレス加工を行うことが可能な、円柱部材の外周加工装置、及び円柱部材の製造方法に関する。
【背景技術】
【０００２】
形状が円柱形状や円筒形状の被加工物の外周面の研削加工を実施するための加工機が知られている。このような加工機によれば、円柱形状や円筒形状の被加工物の円筒度の改善を図ることができる。以下、被加工物のことを、「ワーク（Ｗｏｒｋ）」ともいう。
【０００３】
外周にステンレス管を被覆して、熱交換部材として使用する円柱形状や円筒形状のセラミックス部材が知られている。このようなセラミックス部材は、ステンレス管との伝熱が必要なため、ステンレス管によって被覆する際には、当該セラミックス部材の形状精度が重要となる。円筒形状等のセラミックス部材を安価に製造するためには、押出成形による製造が好ましい。しかしながら、押出成形による製造では、形状精度に優れたセラミックス部材の製造は困難である。このため、押出成形によってセラミックス部材を製造した後、得られたセラミックス部材について、その外周面を加工することが必要となる。
【０００４】
従来、押出成形によって製造されたセラミックス部材の外周面を加工する際には、円筒研削盤、カム研削盤などが用いられている。円筒研削盤及びカム研削盤では、押出成形によって製造されたセラミックス部材の両端を、一つ一つ把持して、芯を出した後に、加工を行わなくてはならない。したがって、このような円筒研削盤を使用した加工においては、時間も手間も大きくかかり、高額な加工費を要することとなっていた。一方で、円筒形状のワークの加工法として、スルーフィードによるセンタレス加工機を使用した方法も知られている（例えば、特許文献１参照）。
【先行技術文献】
【特許文献】
【０００５】
【特許文献１】特開２００２−５２４４６号公報
【発明の概要】
【発明が解決しようとする課題】
【０００６】
特許文献１に記載のセンタレス加工機は、ワークが回転しながら前進して、当該ワークの外周面の加工を行うことができるため、チャックが不要、芯出しが不要（センタレス）、連続処理（スルーフィード）が可能という多くの利点がある。しかしながら、その一方で、特許文献１に記載のセンタレス加工機のような従来の加工機は、ワークの円筒度が悪いと、ワークに回転力が付与されず、ワークが軸方向に前進しなくなってしまう。したがって、従来の加工機は、ワークの円筒度が悪い場合には、その加工が困難になるという問題があった。
【０００７】
本発明は、このような問題を鑑みてなされたものである。本発明によれば、ワークの円筒度が悪くても、簡便に且つ連続的にセンタレス加工を行うことが可能な、円柱部材の外周加工装置、及び円柱部材の製造方法が提供される。
【課題を解決するための手段】
【０００８】
本発明によれば、以下に示す、円柱部材の外周加工装置、及び円柱部材の製造方法が提供される。
【０００９】
［１］  円柱形状のワークの外周面を研削加工する円柱形状の研削砥石と、前記研削砥石との間に前記ワークを挟むようにして回転する円柱形状の調整車と、前記ワークの外周面の下方を支持しながら回転する円柱形状のローラブレードと、前記研削砥石、前記調整車、及び前記ローラブレードのそれぞれに独立した回転駆動力を付与する回転駆動源と、を備え、前記ローラブレード及び前記調整車の少なくとも一方が、前記研削砥石に対して、その回転軸の延びる方向が傾くように配置されており、前記ローラブレード及び前記調整車の回転力を前記ワークの外周面に付与することにより、当該ワークを回転軸方向に前進させるように構成された、円柱部材の外周加工装置。
【００１０】
［２］  前記ワークが、セラミックス、金属、セラミックス／金属複合材、ガラス、樹脂、繊維強化樹脂、及びゴムからなる群より選択される少なくとも１つの材料である、前記［１］に記載の円柱部材の外周加工装置。
【００１１】
［３］  前記ワークが、連続押出成形又は連続引き抜き成形により得られた、円柱形状の成形体である、前記［２］に記載の円柱部材の外周加工装置。
【００１２】
［４］  前記ワークが、セラミック乾燥体である、前記［１］又は［２］に記載の円柱部材の外周加工装置。
［５］  前記ワークが、セラミックス粉末及び溶媒を少なくとも含む原料からなる成形体に含有される水分の少なくとも一部が気化したセラミックス乾燥体である、前記［４］に記載の円柱部材の外周加工装置。
【００１３】
［６］  前記研削砥石による、前記ワークの取り代が、０．０１〜２．０ｍｍである、前記［１］〜［５］のいずれかに記載の円柱部材の外周加工装置。
【００１４】
［７］  前記ローラブレードの直径が、２０ｍｍ以上で、且つ前記ワークの直径に対して、１５０％以下である、前記［１］〜［６］のいずれかに記載の円柱部材の外周加工装置。
【００１５】
［８］  前記ローラブレードの周長Ｐ１に対する、前記ワークの周長Ｐ２の比（Ｐ２／Ｐ１）が、整数ではない、前記［７］に記載の円柱部材の外周加工装置。
【００１６】
［９］  前記ローラブレードの表面の材質が、ウレタンゴム、ニトリルゴム、クロロプレンゴム、エチレンゴム、ブチルゴム、フッ素ゴム、シリコンゴム、天然ゴム、エポキシ樹脂、スポンジ及びフェルトからなる群より選択される少なくとも１つの材料である、前記［１］〜［８］のいずれかに記載の円柱部材の外周加工装置。
【００１７】
［１０］  前記調整車の回転軸に対して、前記ローラブレードの回転軸が傾いている、前記［１］〜［９］のいずれかに記載の円柱部材の外周加工装置。
【００１８】
［１１］  円柱形状のワークの外周面を研削加工する円柱形状の研削砥石と、円柱形状の調整車と、円柱形状のローラブレードとの間に、円柱形状のワークを挟み、前記研削砥石によって、前記ワークの外周面を研削加工する研削工程を含み、前記研削工程において、前記研削砥石、前記調整車、及び前記ローラブレードのそれぞれを独立して回転駆動させ、前記ローラブレード及び前記調整車の少なくとも一方を、前記研削砥石に対して、その回転軸の延びる方向が傾くように配置し、前記ローラブレード及び前記調整車の回転力を前記ワークの外周面に付与することにより、当該ワークを回転軸方向に前進させる、円柱部材の製造方法。
【００１９】
［１２］  前記ワークが、セラミックス、金属、セラミックス／金属複合材、ガラス、樹脂、繊維強化樹脂、及びゴムからなる群より選択される少なくとも１つの材料である、前記［１１］に記載の円柱部材の製造方法。
【００２０】
［１３］  前記ワークが、セラミック乾燥体である、前記［１１］又は［１２］に記載の円柱部材の製造方法。
［１４］  前記ワークが、セラミックス粉末及び溶媒を少なくとも含む原料からなる坏土を、押出成形し、更に乾燥した、円柱形状のセラミックス乾燥体である、前記［１３］に記載の円柱部材の製造方法。
【００２１】
［１５］  前記研削砥石による、前記ワークの取り代が、０．０１〜２．０ｍｍである、前記［１１］〜［１４］のいずれかに記載の円柱部材の製造方法。
【００２２】
［１６］  前記ローラブレードの直径が、２０ｍｍ以上で、且つ前記ワークの直径に対して、１５０％以下である、前記［１１］〜［１５］のいずれかに記載の円柱部材の製造方法。
【００２３】
［１７］  前記ローラブレードの表面の材質が、ウレタンゴム、ニトリルゴム、クロロプレンゴム、エチレンゴム、ブチルゴム、フッ素ゴム、シリコンゴム、天然ゴム、エポキシ樹脂、スポンジ及びフェルトからなる群より選択される少なくとも１つの材料である、前記［１１］〜［１６］のいずれかに記載の円柱部材の製造方法。
【００２４】
［１８］  前記調整車の回転軸に対して、前記ローラブレードの回転軸が傾いている、前記［１１］〜［１７］のいずれかに記載の円柱部材の製造方法。
【００２５】
［１９］  前記研削砥石の周速が、前記調整車及び前記ローラブレードの周速より速い、前記［１１］〜［１８］のいずれかに記載の円柱部材の製造方法。
【００２６】
［２０］  前記ローラブレードによって、前記研削工程前のワークを、前記研削砥石と前記調整車と前記ローラブレードとの間に挿入するワーク挿入工程を更に含む、前記［１１］〜［１９］のいずれかに記載の円柱部材の製造方法。
【００２７】
［２１］  前記ローラブレードによって、前記研削工程によって外周面が研削加工された前記ワークを搬出するワーク搬送工程を更に含む、前記［１１］〜［２０］のいずれかに記載の円柱部材の製造方法。
【００２８】
［２２］  円柱形状のワークの外周面を研削加工する円柱形状の研削砥石と、前記研削砥石との間に前記ワークを挟むようにして配置された板状の案内板と、前記ワークの外周面の下方を支持しながら回転する円柱形状のローラブレードと、前記研削砥石、及び前記ローラブレードのそれぞれに独立した回転駆動力を付与する回転駆動源と、を備え、前記ローラブレードが、前記研削砥石に対して、その回転軸の延びる方向が傾くように配置され、又は、前記案内板が、前記研削砥石に対して、前記案内板と前記ワークとの接触点を結ぶ軸の延びる方向が傾くように配置され、前記ローラブレードの回転力を前記ワークの外周面に付与することにより、当該ワークを回転軸方向に前進させる、円柱部材の外周加工装置。
【００２９】
［２３］  円柱形状のワークの外周面を研削加工する円柱形状の研削砥石と、板状の案内板と、円柱形状のローラブレードとの間に、円柱形状のワークを挟み、前記研削砥石によって、前記ワークの外周面を研削加工する研削工程を含み、前記研削工程において、前記研削砥石、及び前記ローラブレードのそれぞれを独立して回転駆動させ、前記ローラブレードを、前記研削砥石に対して、その回転軸の延びる方向が傾くように配置するか、又は、前記案内板を、前記研削砥石に対して、前記案内板と前記ワークとの接触点を結ぶ軸の延びる方向が傾くように配置し、前記ローラブレードの回転力を前記ワークの外周面に付与することにより、当該ワークを回転軸方向に前進させる、円柱部材の製造方法。
【発明の効果】
【００３０】
本発明の円柱部材の外周加工装置は、ワークの円筒度が悪くても、簡便に且つ連続的にセンタレス加工を行うことができ、円筒度が優れた円柱部材を製造することができる。本発明の円柱部材の外周加工装置は、研削砥石、調整車、及びローラブレードが、それぞれに独立した回転駆動力を付与する回転駆動源によって、それぞれ独立して回転駆動する。このため、円柱形状のワークの円筒度が悪くても、当該ワークに対して、極めて良好に回転力を付与することができる。特に、ワークの外周面の下方を支持しながら回転するローラブレードが、自ら回転するように構成されているため、ローラブレードの回転力がワークに伝達し、ワークの良好な回転が実現される。また、本発明の円柱部材の外周加工装置においては、ローラブレード及び調整車の少なくとも一方が、研削砥石に対して、その回転軸の延びる方向が傾くように配置されている。このため、ローラブレード及び調整車の回転力を、ワークの外周面に付与することにより、当該ワークに対して、その回転軸方向の推進力を良好に発現させることができる。したがって、本発明の円柱部材の外周加工装置によれば、簡便に且つ連続的にセンタレス加工を行うことができる。
【００３１】
本発明の円柱部材の外周加工装置によれば、従来のセンタレス加工機では、研削加工が困難であった、円筒度が悪いワークについても、特段の支障なく研削加工を行うことができ、円筒度に優れた円柱部材を製造することができる。
【００３２】
本発明の円柱部材の外周加工装置によれば、従来、センタレス加工が困難とされていた、セラミックスの乾燥体等についても良好に研削加工を行うことができ、円筒度に優れたセラミックスの乾燥体を、極めて簡便に製造することができる。なお、セラミックスの乾燥体としては、焼成前のグリーンセラミックスを挙げることができる。また、本発明の円柱部材の外周加工装置によれば、切り込みが小さすぎる加工においても、問題なくセンタレス加工を行うことができる。例えば、研削砥石の加工負荷が小さい状態においても、有効にセンタレス加工を行うことができる。ここで、「研削砥石の加工負荷」とは、研削砥石がワークにかみ込んだ際の負荷のことを意味する。
【００３３】
本発明の円柱部材の製造方法は、ワークの円筒度が悪くても、簡便に且つ連続的にセンタレス加工を行うことができ、円筒度が優れた円柱部材を製造することができる。なお、本発明の円柱部材の製造方法は、これまでに説明した、本発明の円柱部材の外周加工装置を用いて実現することができる。
【図面の簡単な説明】
【００３４】
【図１】本発明の円柱部材の外周加工装置の一の実施形態を模式的に示す斜視図である。
【図２】図１に示す円柱部材の外周加工装置の、研削砥石の回転軸に垂直な断面を模式的に示す断面図である。
【図３】本発明の円柱部材の製造方法に用いられる円柱部材の外周加工装置を模式的に示す斜視図である。
【図４】図３に示す円柱部材の外周加工装置の、研削砥石の回転軸に垂直な断面を模式的に示す断面図である。
【図５】本発明の円柱部材の製造方法に用いられる他の円柱部材の外周加工装置を模式的に示す斜視図である。
【図６】本発明の円柱部材の外周加工装置の他の実施形態を模式的に示す斜視図である。
【図７】本発明の円柱部材の外周加工装置の更に他の実施形態を模式的に示す斜視図である。
【図８】図７に示す円柱部材の外周加工装置の、研削砥石の回転軸に垂直な断面を模式的に示す断面図である。
【図９】本発明の円柱部材の製造方法に用いられる更に他の円柱部材の外周加工装置を模式的に示す斜視図である。
【図１０】図９に示す円柱部材の外周加工装置の、研削砥石の回転軸に垂直な断面を模式的に示す断面図である。
【図１１】本発明の円柱部材の製造方法に用いられる更に他の円柱部材の外周加工装置を模式的に示す斜視図である。
【発明を実施するための形態】
【００３５】
以下、本発明の実施形態について説明するが、本発明は以下の実施形態に限定されるものではない。したがって、本発明の趣旨を逸脱しない範囲で、当業者の通常の知識に基づいて、以下の実施形態に対し適宜変更、改良等が加えられたものも本発明の範囲に入ることが理解されるべきである。
【００３６】
（１）円柱部材の外周加工装置：
本発明の円柱部材の外周加工装置の一の実施形態は、図１及び図２に示すような円柱部材の外周加工装置１００である。本実施形態の円柱部材の外周加工装置１００は、円柱形状のワーク８の外周面を研削加工することにより、その外周面が研削加工された円柱部材８ａを製造するための外周加工装置である。なお、ワーク８は、円柱部材の外周加工装置１００によって円柱部材８ａを製造する際の「被加工物」であり、円柱部材の外周加工装置１００の構成要素ではない。ここで、図１は、本発明の円柱部材の外周加工装置の一の実施形態を模式的に示す斜視図である。図２は、図１に示す円柱部材の外周加工装置の、研削砥石の回転軸に垂直な断面を模式的に示す断面図である。
【００３７】
円柱部材の外周加工装置１００は、円柱形状の研削砥石２と、円柱形状の調整車４と、円柱形状のローラブレード６と、回転駆動源１２，１４，１６と、を備えている。研削砥石２は、円柱形状のワーク８の外周面を研削加工するものである。調整車４は、研削砥石２との間にワーク８を挟むようにして回転するものである。ローラブレード６は、ワーク８の外周面の下方を支持しながら回転するものである。例えば、図１及び図２においては、円柱形状のワーク８は、その軸方向が横向き（例えば、略水平）となるように配置され、ローラブレード６は、このワーク８の外周面の下方を支持するように配設されている。
【００３８】
回転駆動源１２，１４，１６は、研削砥石２、調整車４、及びローラブレード６のそれぞれに独立した回転駆動力を付与するものである。図１においては、回転駆動源１２が、研削砥石２に回転駆動力を付与し、回転駆動源１４が、調整車４に回転駆動力を付与し、回転駆動源１６が、ローラブレード６に回転駆動力を付与している。したがって、本実施形態の円柱部材の外周加工装置１００は、研削砥石２、調整車４、及びローラブレード６が、それぞれ独立して回転駆動するように構成されている。そのため、本実施形態の円柱部材の外周加工装置１００によれば、円柱形状のワーク８の円筒度が悪くても、ワーク８に対して、極めて良好に回転力を付与することができる。特に、ワーク８の外周面の下方を支持しながら回転するローラブレード６が、自ら回転するように構成されているため、ローラブレード６の回転力がワーク８に伝達し、ワーク８の良好な回転が実現される。
【００３９】
円柱部材の外周加工装置１００において、ローラブレード６及び調整車４の少なくとも一方が、研削砥石２に対して、その回転軸（回転軸Ｌ３又は回転軸Ｌ２）の延びる方向が傾くように配置されている。例えば、図１に示す円柱部材の外周加工装置１００では、研削砥石２の回転軸Ｌ１に対して、ローラブレード６の回転軸Ｌ３が傾いている。更に、研削砥石２の回転軸Ｌ１に対して、調整車４の回転軸Ｌ２が傾いている。なお、研削砥石２の回転軸Ｌ１に対して、ローラブレード６の回転軸Ｌ３及び調整車４の回転軸Ｌ２のうちの少なくとも一方の回転軸が傾いていればよい。なお、調整車４の回転軸Ｌ２に対して、ローラブレード６の回転軸Ｌ３が、傾いていてもよいし、傾いていないもの（すなわち、回転軸Ｌ２と回転軸Ｌ３とが平行）であってもよい。
【００４０】
本実施形態の円柱部材の外周加工装置１００においては、ローラブレード６及び調整車４の少なくとも一方が、研削砥石２に対して、その回転軸の延びる方向が傾くように配置されていることが特に重要な構成となっている。このように構成することによって、ローラブレード６及び調整車４の回転力を、ワーク８の外周面に付与することにより、ワーク８に対して、その回転軸Ｌ４方向の推進力を良好に発現させることができる。したがって、本実施形態の円柱部材の外周加工装置１００によれば、簡便に且つ連続的にセンタレス加工を行うことができる。
【００４１】
研削砥石２の回転軸Ｌ１と、ローラブレード６の回転軸Ｌ３及び調整車４の回転軸Ｌ２との傾きは、以下の２種類の角度で規定することができる。１つ目の角度は、「水平方向の角度（送り角）」である。２つ目の角度は、「垂直方向の角度（スイベル角）」である。
【００４２】
水平方向の角度（送り角）は、２軸の水平方向の傾きによって規定される角度である。すなわち、水平方向の角度（送り角）では、２つの回転軸は、進行方向に向かって高さは変わらず、当該２つの回転軸間の距離だけが広がる又は狭まる方向に傾くこととなる。例えば、研削砥石２の回転軸Ｌ１と、ローラブレード６の回転軸Ｌ３との水平方向の角度（送り角）が大きくなると、研削砥石２とローラブレード６の表面同士の距離が広がることにつながり、それが、ワーク８を前進させるための駆動力となる。
【００４３】
垂直方向の傾き（スイベル角）は、回転軸方向に向かって、２つの回転軸の高さが変化した場合の角度である。例えば、垂直方向の傾き（スイベル角）では、一方の回転軸が水平に配置されている場合に、もう一方の回転軸のいずれか一端が、上下方向に傾くこととなる。垂直方向の傾き（スイベル角）を大きくすることで、水平方向の角度（送り角）と同様に、２つの回転軸間を、互いの回転軸間の距離が広がるように傾けさせることができる。ただし、垂直方向の傾き（スイベル角）においては、その角度を大きくすることが、ワーク８を前進させるための駆動力に直結しないことがある。このような場合は、後述するように、例えば、調整車の形状をドレス加工等によって整えて、安定したワークの前進力を得られるように調整することが好ましい。
【００４４】
本実施形態の円柱部材の外周加工装置において、ワークを前進させるための駆動力は、以下の２種類の駆動力が考えられる。１種類目の駆動力は、ローラブレードと調整車の表面同士の距離、及び研削砥石とローラブレードの表面同士の距離のいずれかが、狭いところから徐々に広がることによって生じる駆動力である。すなわち、上述した表面同士の距離が徐々に広がることによって、その広がった箇所にワークが押し出されていく力が、当該ワークの推進力となる。このような駆動力に対しては、上述した水平方向の角度（送り角）が大きく寄与する。２種類目の駆動力は、主に、スイベル角の傾きによって発生する分力を推進力としたものである。例えば、２種類目の駆動力は、研削砥石の軸方向に対して、調整車のスイベル角が、ワークの進行方向に対して頭を下げる方向に傾いている場合に、調整車の形状を直径に異差のあるクラウン形状とすることで発生させることができる。このような形状の調整車とすることで、研削砥石と調整車の表面の距離を変化させずに、調整車のスイベル角を傾けることが可能になる。そして、このような調整車は、ワークに与える力が、ワークが回転して進む軸に対して、直角ではない（別言すれば、斜め上方向に若干傾いている）ために、当該力が回転力と推進力に分離され、ワークが前進するための駆動力が得られる。本実施形態の円柱部材の外周加工装置は、これまでに説明した２種類の駆動力を組み合わせて設定（使用）することが、より好ましい形態である。すなわち、本実施形態の円柱部材の外周加工装置においては、ワークが前進するための駆動力として、上記２種類の駆動力の双方が発現するように構成されていることがより好ましい。
【００４５】
（１−１）ワーク：
上述したように、ワークは、円柱部材の外周加工装置によって円柱部材を製造する際の「被加工物」である。ワークの材質については特に制限はなく、例えば、セラミックス、金属、セラミックス／金属複合材、ガラス、樹脂、繊維強化樹脂、及びゴムからなる群より選択される少なくとも１つの材料を挙げることができる。本明細書において、円柱部材とは、その軸方向に垂直な断面における外形が円形の部材のことを意味し、円柱部材が、密実なものであることを要しない。例えば、円柱部材には、中空の円筒部材や、円筒部材の中空部分が各種壁材などで仕切られたハニカム構造の円柱部材が含まれる。ワークが、連続押出成形又は連続引き抜き成形により得られた、円柱形状の成形体であってもよい。
【００４６】
本実施形態の円柱部材の外周加工装置によれば、従来のセンタレス加工機では、研削加工が困難であった、円筒度が悪いワークについても、特段の支障なく研削加工を行うことができ、円筒度に優れた円柱部材を製造することができる。例えば、本実施形態の円柱部材の外周加工装置によれば、従来、センタレス加工が困難とされていた、セラミックスの乾燥体等についても良好に研削加工を行うことができ、円筒度に優れたセラミックスの乾燥体を、極めて簡便に製造することができる。したがって、円柱部材の外周加工装置は、ワークとして、円柱形状のセラミックス乾燥体を用いた場合に、従来のセンタレス加工機に比して、特段顕著な効果を奏する。ここで、セラミックス乾燥体とは、セラミックス粉末及び水等の溶媒を少なくとも含む原料からなる坏土を押出成形し、得られたセラミックス成形体に含まれる溶媒の少なくとも一部を気化して乾燥した、焼成される前の状態の乾燥体を意味する。坏土を調製するための原料には、バインダー、成形助剤等を更に含んでいてもよい。セラミックス成形体としては、焼成前のグリーンセラミックスを挙げることができる。
【００４７】
研削砥石による、ワークの取り代については特に制限はない。本実施形態の円柱部材の外周加工装置においては、比較的に大きな取り代であっても、良好なセンタレス加工が実現される。例えば、研削砥石による、ワークの取り代として、０．０１〜２．０ｍｍであることが好ましく、０．０１〜１．２ｍｍであることが更に好ましく、０．０１〜０．７ｍｍであることが特に好ましい。また、本実施形態の円柱部材の外周加工装置によれば、切り込みが非常に小さい加工においても、問題なくセンタレス加工を行うことができる。
【００４８】
なお、上述したワークの取り代については上限があり、円柱形状のワークの精度面、ワークの外周面の傷、搬送中のワークが振動するなど種々の要因によって、この上限が決まる。ワークの外周面の良好な加工を行うためには、上述した「取り代の上限」の制約により、１回の研削加工（１パス）で、所望の寸法（直径）にならないことがある。このため、１回の研削加工で、ワークが所望の寸法（直径）にならない場合には、研削加工を複数回繰り返すことで、所望の寸法のワークを得ることができる。例えば、２回目の研削加工（２パス目）では、研削砥石と調整車の間隔を、１回目の研削加工よりも狭くして、寸法が若干小さくなったワークを、更に加工する。必要に応じて、研削砥石と調整車の間隔を、順次狭くして、研削加工を繰り返し行うことで、所望の寸法（直径）のワークを得ることができる。なお、研削加工を複数回行う場合には、１回目の加工において、ワークの取り代が適切な値であるかを確認し、研削加工が可能か否かの良否を判断することが好ましい。１回目の加工が可能であれば、２回目以降は、同じ取り代での加工が可能であり、上述した良否の判断については、１回目の加工時のみに行えばよい。
【００４９】
ワークの軸方向の長さについては特に制限はない。また、ワークの軸方向に垂直な断面における直径についても特に制限はない。ワークの軸方向に垂直な断面における直径については、以下、単に、「ワークの直径」ということがある。ワークの軸方向の長さ、及びワークの直径は、研削砥石、調整車、及びローラブレードの大きさ等により、適宜最適な数値範囲が決定される。ワークの軸方向の長さは、ワークの直径よりも大きいことが好ましい。例えば、ワークの軸方向の長さは、１０〜５００ｍｍであることが好ましく、３０〜５００ｍｍであることが更に好ましく、４５〜３００ｍｍであることが特に好ましい。ワークの軸方向に垂直な断面における直径は、ワークの軸方向の長さよりも小さいことが好ましい。例えば、ワークの軸方向に垂直な断面における直径は、１０〜１５０ｍｍであることが好ましく、３０〜１００ｍｍであることが更に好ましく、４５〜８０ｍｍであることが特に好ましい。ワークの直径に比してワークの軸方向の長さが小さい場合には、ワークを前進させるための駆動力が得にくくなるため、安定した加工ができなくなる場合がある。
【００５０】
（１−２）研削砥石：
図１及び図２に示すように、研削砥石２は、円柱形状を有するローラ状のものであり、回転駆動源１２（図１参照）によって付与される回転駆動力に回転する。この研削砥石２が、円柱形状のワーク８の外周面と接触することにより、ワーク８の外周面が研削加工される。
【００５１】
研削砥石は、その全体が砥石からなるものであってもよい。また、研削砥石は、円柱形状を有するローラ状の台金（コア）の外側に、砥石が配設されたものであってもよい。例えば、研削砥石は、フランジ状の台金の外側に、砥石が配設されたものを好適に用いることができる。
【００５２】
研削砥石の軸方向の長さについては特に制限はない。また、研削砥石の軸方向に垂直な断面における直径についても特に制限はない。研削砥石の軸方向に垂直な断面における直径については、以下、単に、「研削砥石の直径」ということがある。研削砥石の軸方向の長さ、及び研削砥石の直径は、ワーク、調整車、及びローラブレードの大きさ等により、適宜最適な数値範囲が決定される。
【００５３】
研削砥石の直径は、例えば、ワークの直径に対して、２００〜１００００％であることが好ましく、３００〜３０００％であることが更に好ましく、４００〜２０００％であることが特に好ましい。このような数値範囲とすることにより、外周加工装置を小型化することが可能という好ましい利点がある。
【００５４】
研削砥石の長さは、例えば、ワークの直径に対して、５０〜１００００％であることが好ましく、７５〜２０００％であることが更に好ましく、１００〜１０００％であることが特に好ましい。このような数値範囲とすることにより、外周加工装置を小型化することが可能という好ましい利点がある。
【００５５】
研削砥石の回転駆動時の周速については、特に制限はない。研削砥石の周速は、調整車及びローラブレードの周速より速いことが好ましい。研削砥石の周速は、調整車及びローラブレードのいずれかの周速の４０〜２００倍であることが好ましく、５０〜１５０倍であることが更に好ましく、６０〜１１０倍であることが特に好ましい。
【００５６】
研削砥石の回転駆動時の周速は、ワークの材質や、ワークの取り代の大きさによって適宜決定することができる。例えば、ワークが、セラミックス成形体の場合には、１０〜１００ｍ／ｓであることが好ましく、１５〜６０ｍ／ｓであることが更に好ましく、２０〜５０ｍ／ｓであることがより更に好ましく、２０〜３０ｍ／ｓであることが特に好ましい。また、ワークが、セラミックス焼成体や金属の場合には、１０〜１００ｍ／ｓであることが好ましく、３０〜６０ｍ／ｓであることが更に好ましく、３０〜５０ｍ／ｓであることがより更に好ましく、３５〜４５ｍ／ｓであることが特に好ましい。
【００５７】
研削砥石の材質については、特に制限はなく、ワークの材質等に応じて適宜決定することができる。研削砥石として、砥粒と、当該砥粒を保持するボンド材とを備えたものを挙げることができる。例えば、研削砥石のボンド材の材質として、メタルボンド、レジンボンド、ビトリファイドボンドが好ましい。特に、ワークが、セラミックス成形体の場合には、メタルボンド、レジンボンドが好ましい。ワークが、セラミックス焼成体や金属の場合には、レジンボンド、ビトリファイドボンドが好ましい。また、研削砥石の砥粒は、ダイヤモンド砥粒、ＣＢＮ砥粒（立方晶窒化ホウ素の砥粒）、ＷＡ砥粒（白色アルミナ質の砥粒）、Ａ砥粒（褐色アルミナ質の砥粒）、ＨＡ砥粒（解砕型アルミナ質の砥粒）、ＰＡ砥粒（淡紅色アルミナ質の砥粒）、ＧＣ砥粒（緑色炭化珪素の砥粒）、Ｃ砥粒（黒色炭化珪素の砥粒）が好ましい。特に、ワークがセラミックス成形体、セラミックス焼結体の場合には、ダイヤモンド砥粒が好ましい。
【００５８】
（１−３）調整車：
図１及び図２に示すように、調整車４は、円柱形状を有するローラ状のものであり、回転駆動源１４（図１参照）によって付与される回転駆動力により回転する。この調整車４が、円柱形状のワーク８の外周面と接触することにより、ワーク８を回転軸Ｌ４方向に前進させる。ただし、本実施形態の円柱部材の外周加工装置においては、研削砥石２、調整車４、及びローラブレード６のそれぞれが独立して回転駆動する。そのため、調整車４の回転駆動力のみが、ワーク８を回転軸Ｌ４方向に前進させるのではなく、例えば、ローラブレード６の回転駆動力も、ワーク８を回転軸Ｌ４方向に前進させることに寄与している。
【００５９】
調整車の材質としては、ワークの材質等に応じて適宜決定することができる。特に制限はないが、合成ゴム、天然ゴム、エポキシ樹脂等を主原料とするボンド材に、砥材を混ぜ込んだ、調整砥石（コントロール砥石）を用いることができる。特に、ボンド材の材質は、適切な硬度（硬さ）を有するとともに、十分な摩擦抵抗を有するものであることが好ましい。調整車の摩擦抵抗が大きいと、ワークを良好に把持し狙いの周速に調整する事が容易になる。ボンド材の硬度が高いと、ワークの加工精度を向上させることができる。砥材の材質としては、Ａ砥粒（褐色アルミナ質の砥粒）、ＷＡ砥粒（白色アルミナ質の砥粒）、ジルコニアなどを挙げることができ、ジルコニアがより好ましい。ジルコニアは、耐摩耗性が高いため、ワークがセラミックス成形体である場合に好適に用いることができる。
【００６０】
調整車の軸方向の長さについては特に制限はない。また、調整車の軸方向に垂直な断面における直径についても特に制限はない。調整車の軸方向に垂直な断面における直径については、以下、単に、「調整車の直径」ということがある。
【００６１】
調整車の直径は、例えば、研削砥石の直径に対して、５〜１５０％であることが好ましく、３０〜１００％であることが更に好ましく、４０〜６０％であることが特に好ましい。また、調整車の長さについては、特に制限はない。
【００６２】
調整車の回転駆動時の周速については、上述した研削砥石の周速にて述べた通り、研削砥石及びローラブレードの周速と同じであってもよい。また、調整車の周速が、ローラブレードの周速と異なる場合には、ローラブレードの周速が、調整車の周速よりも速い方が好ましい。ローラブレードの周速が、調整車の周速よりも速い場合には、研削加工中のワークの周速が、ローラブレードの周速によってコントロールされることとなる。詳しくは後述するが、本実施形態の円柱部材の外周加工装置においては、ローラブレードによって、外周面が研削加工されたワークを搬出する工程を付与することができる。このような工程を付与した場合には、研削加工中のワークの周速が、ローラブレードの周速によってコントロールされていると、研削加工が終了して、ワークが研削砥石から抜け出す際に、ワークの周速に変化が生じないため、安定したワークの搬出を行うことができる。例えば、ローラブレードの周速が、調整車の周速よりも遅い場合には、研削加工中のワークの周速が、調整車の周速によってコントロールされることとなる。このような場合には、ワークが研削砥石から抜け出す際に、調整車によりコントロールされていた周速が、ローラブレードの周速によるコントロールに変更される。この際、ワークの周速に急激な変化が生じると、それまでの回転を維持しようとするワークは、慣性力によりバランスを失い、不安定な状態になることがある。
【００６３】
また、調整車の材質は、曲げ強さが、３０〜７０ＭＰａであることが好ましく、３４〜６３ＭＰａであることが更に好ましく、５５〜６０ＭＰａであることが特に好ましい。例えば、調整車の曲げ強さは、調整車の材料として使用するボンド材によって調整することができる。調整車の材質の曲げ強さは、ＡＳＴＭ  Ｄ  ７９０に準拠して測定することができる。調整車の材質の曲げ強さの測定は、調整車から所定の大きさの測定用サンプルを切り出し、切り出した測定用サンプルを用いて行うことができる。
【００６４】
調整車の摩擦係数は、大きい方が好ましい。例えば、調整車の摩擦係数は、０．２４以上であることが好ましく、０．６〜１．５であることが更に好ましく、０．９〜１．０であることが特に好ましい。摩擦係数が、０．９以上であると、ワークの回転速度が一定になり、安定した加工に繋がるという利点がある。摩擦係数は、ＪＩＳ  Ｋ  ７１２５に準拠した測定により求めることができる。調整車の摩擦係数の測定は、調整車から所定の大きさの測定用サンプルを切り出し、切り出した測定用サンプルを用いて行うことができる。
【００６５】
調整車は、回転軸方向において、その直径が同一の円柱形状であってもよいし、回転軸方向において、その直径が異なる円柱形状であってもよい。例えば、調整車は、回転軸方向において、その直径が左右非対称の円錐台形状や鼓型形状（逆クラウン形状ともいう）であってもよい。特に、円錐台形状及び鼓型形状の調整車は、その軸を研削砥石の軸に対して垂直に近づく方向に傾けた場合に、互いの表面同士の距離の変化を打ち消す方向に、その直径の長さが変化するものであることが好ましい。
【００６６】
（１−４）ローラブレード：
図１及び図２に示すように、ローラブレード６は、円柱形状を有するローラ状のものであり、回転駆動源１６（図１参照）によって付与される回転駆動力により回転する。ローラブレード６は、円柱形状のワーク８の外周面の下方を支持するように配置されており、このローラブレード６が、ワーク８の外周面と接触することにより、ローラブレード６の回転力を、ワーク８に付与する。
【００６７】
ローラブレードの材質は、適切な硬度（硬さ）を有するとともに、十分な摩擦抵抗を有するものであることが好ましい。ローラブレードの摩擦抵抗が大きいと、ワークに対して良好に回転力を付与することができる。ローラブレードの硬度が高いと、ワークの加工精度を向上させることができる。ローラブレードの表面の材質は、調整車と同様の材質を挙げることができる。ローラブレードの表面の材質としては、ウレタンゴム、ニトリルゴム、クロロプレンゴム、エチレンゴム、ブチルゴム、フッ素ゴム、シリコンゴム、天然ゴム、エポキシ樹脂、スポンジ及びフェルトからなる群より選択される少なくとも１つの材料であることが好ましく、ウレタンゴム又はシリコンゴムであることが更に好ましい。また、摩擦抵抗を上げるために、ローラブレードの表面が、以下のような特殊構造を有していることも、好ましい形態の一つである。例えば、ローラブレードの表面に細かい凹凸を有する特殊構造、ローラブレードの表面に硬いセラミックス粒子や硬い粒状のゴムチップが分散している特殊構造などを挙げることができる。
【００６８】
ローラブレードの硬度は、ショアＡ５０以上であることが好ましく、ショアＡ７０〜９５であることが更に好ましく、ショアＡ８０〜９５であることが特に好ましい。ローラブレードの硬度がショアＡ５０未満であると、ローラブレードが柔らかすぎて、ワークの加工精度が低下することがある。ローラブレードの硬度（ショアＡ硬度）は、タイプＡデュロメーターで硬度測定された値である。
【００６９】
ローラブレードの動摩擦係数は、大きい方が好ましい。例えば、ローラブレードの動摩擦係数は、０．２以上であることが好ましく、０．４〜１．２であることが更に好ましく、０．４〜０．８５であることが特に好ましい。動摩擦係数が小さいと、ローラブレードが空転してしまい、ワークに対して回転力を付与できないことがある。動摩擦係数は、ＪＩＳ  Ｋ  ７１２５に準拠した測定により求めることができる。ローラブレードの動摩擦係数は、以下のような方法で測定することができる。まず、ローラブレードから、平板状の試験片（動摩擦係数測定用の試験片）を採取する。なお、ローラブレードから試験片を採取することが困難な場合には、ローラブレードと同材質の平板を、試験片として用意する。次に、動摩擦係数測定用の試験片を、当該試験片の表面が水平となるように、鉄製の金属板上に配置する。その後、水平に配置した試験片の表面上に、５００ｇのおもりを載置する。次に、金属板上に載置した試験片を１ｍｍ／ｓの速度で引っ張り、この際の、試験片の引張り荷重を測定する。そして、測定した「試験片の引張り荷重」から、ローラブレードの動摩擦係数を求める。
【００７０】
ローラブレードの軸方向の長さについては特に制限はない。また、ローラブレードの軸方向に垂直な断面における直径についても特に制限はない。ローラブレードの軸方向に垂直な断面における直径については、以下、単に、「ローラブレードの直径」ということがある。
【００７１】
ローラブレードの直径について、特に制限はないが、ローラブレードの直径が、２０ｍｍよりも大きく、且つ、ワークの直径と比較して小さいことが好ましい形態の一つである。例えば、ローラブレードの直径は、ワークの直径に対して、１５０％以下であることが好ましく、１０５％以下であることが更に好ましく、８０％以下であることがより更に好ましく、６５％以下であることが特に好ましい。ローラブレードの直径が２０ｍｍよりも小さいと、加工負荷がかかった際に、強度不足のために撓みが大きくなり、加工精度が悪化する場合がある。また、ワークの直径に対して１５０％超えると、研削砥石の回転軸に対する調整車の角度や、ローラブレードの角度が十分に確保できなくなり、十分な駆動力を得られなくなることがある。更に、ローラブレードの周長Ｐ１は、ワークの周長Ｐ２を、ローラブレードの周長Ｐ１で除した値（ワークの周長Ｐ２／ローラブレードの周長Ｐ１）が割り切れない値となる長さであることが好ましい。すなわち、ローラブレードの周長Ｐ１に対する、ワークの周長Ｐ２の比（Ｐ２／Ｐ１）が、整数ではないことが好ましい。このように構成することによって、真円度が良好になるという利点がある。例えば、「ワークの周長Ｐ２／ローラブレードの周長Ｐ１」が割り切れる値となると、ワークとローラブレードとが、特定の周期で同じ箇所が接触することとなり、当該特定の周期において、ワークの表面に凹凸が形成されることがある。
【００７２】
ローラブレードの回転軸は、研削砥石の回転軸に対して傾いていてもよい。このように構成することによって、ローラブレードの回転力をワークに付与することにより、ワークに対して回転軸方向の推進力を発現させることができる。ローラブレードの回転軸と、研削砥石の回転軸とのなす角度は、０〜５°であることが好ましく、１〜４°であることが更に好ましく、２〜３°であることが特に好ましい。
【００７３】
ローラブレードの長さは、研削砥石の長さ及び調整車の長さよりも長い限りにおいて、特に制限はなく、ローラブレードの機能に応じて、適宜、最適な長さとすることができる。例えば、ローラブレードは、研削加工前のワークを、研削砥石及び調整車が配置された箇所まで搬送（すなわち、研削砥石と調整車とローラブレードとの間にワークを挿入）するものであってもよい。また、ローラブレードは、研削加工後のワークを、所定の箇所まで搬送（搬出）するものであってもよい。例えば、従来のセンタレス加工機では、ワークの挿入及び搬出については、人の手作業や、別の搬送装置によって行われていた。本実施形態の円柱部材の外周加工装置においては、ローラブレードが自立して回転駆動するため、ワークの挿入及び搬出をローラブレードによって行うことができる。このため、極めて簡便な構成により、連続的にワークに対して研削加工を行うことができるとともに、装置コスト及び製造コストを抑制することができる。
【００７４】
また、ローラブレードの回転駆動は、ワンウェイクラッチによって行われることが好ましい。ワンウェイクラッチとは、一方の方向のみに回転駆動力を伝達するクラッチ機構のことである。このように構成することによって、突発的に発生する回転の変化があっても、駆動源と縁切りされているため、駆動源に負荷を与えないという利点がある。例えば、研削砥石とワークとが接触した際に、突発的に勢いよくワークが回転してしまうことがある。特に、形状が悪いワークの場合には、このようなことが生じ易い。その際に、ワークの急激な回転が、ローラブレードを高速に回転させようとする力となり、駆動源に負荷が掛かってしまうことがある。ワンウェイクラッチは、一定速で回転する駆動源と同じ回転方向へは、フリーに回転する機構を有しているため、突発的に高速回転したワークの回転を、ワンウェイクラッチによって逃がして吸収することができる。
【００７５】
（１−５）回転駆動源：
本実施形態の円柱部材の外周加工装置は、研削砥石、調整車、及びローラブレードのそれぞれに独立した回転駆動力を付与する回転駆動源を有している。回転駆動源については、研削砥石、調整車、及びローラブレードを、それぞれ独立して回転駆動させることができるものであれば特に制限はない。
【００７６】
例えば、回転駆動源としては、サーボモーター、ステッピングモーター、スピードコントロールモーターを挙げることができる。
【００７７】
（１−６）円柱部材の外周加工装置のその他の構成：
本実施形態の円柱部材の外周加工装置は、乾式加工、及び湿式加工のいずれの加工にも使用することができる。湿式加工においては、水や切削油などを使用して加工することができる。
【００７８】
（１−７）円柱部材の外周加工装置の他の実施形態：
本発明の円柱部材の外周加工装置の他の実施形態について、図６を参照しつつ説明する。図６は、本発明の円柱部材の外周加工装置の他の実施形態を模式的に示す斜視図である。図６に示すように、本実施形態の円柱部材の外周加工装置４００は、円柱形状のワーク８の外周面を研削加工することにより、その外周面が研削加工された円柱部材８ａを製造するための外周加工装置である。図６に示す円柱部材の外周加工装置４００は、調整車４の軸方向の前後（即ち、ワーク８の進行方向の前後）に、ワークの外周面を支持するための、板状の「補助案内板２５」を有する点において、図１に示す円柱部材の外周加工装置１００と相違している。
【００７９】
補助案内板２５は、調整車４の軸方向の前後において、ワーク８の側面を補助的に支持するものである。このような補助案内板２５を更に有する円柱部材の外周加工装置４００は、調整車４の軸方向の前後において、ローラブレード６の回転力をワーク８の外周面に良好に付与することができ、ワーク８を回転軸方向に前進させることができる。図６に示す円柱部材の外周加工装置４００は、このような補助案内板２５を更に有すること以外は、図１に示す円柱部材の外周加工装置１００と同様に構成されていることが好ましい。図６に示す円柱部材の外周加工装置４００において、図１に示す円柱部材の外周加工装置１００の各構成要素と同様に構成されているものについては、同一の符号を付している。
【００８０】
次に、本発明の円柱部材の外周加工装置の更に他の実施形態について、図７及び図８を参照しつつ説明する。図７は、本発明の円柱部材の外周加工装置の更に他の実施形態を模式的に示す斜視図である。図８は、図７に示す円柱部材の外周加工装置の、研削砥石の回転軸に垂直な断面を模式的に示す断面図である。図７及び図８に示すように、本実施形態の円柱部材の外周加工装置５００は、円柱形状のワーク８の外周面を研削加工することにより、その外周面が研削加工された円柱部材８ａを製造するための外周加工装置である。図７及び図８に示す円柱部材の外周加工装置５００は、研削砥石２の回転軸Ｌ１に垂直な断面において、ワーク８の回転軸Ｌ４が、研削砥石２の回転軸Ｌ１と調整車４の回転軸Ｌ２とを結ぶ線よりも鉛直下方に位置するように構成されている点が、図１及び図２に示す円柱部材の外周加工装置１００と相違している。このように構成された円柱部材の外周加工装置５００も、図１及び図２に示す円柱部材の外周加工装置１００と同様の作用効果を奏するものである。図７及び図８に示す円柱部材の外周加工装置５００において、図１に示す円柱部材の外周加工装置１００の各構成要素と同様に構成されているものについては、同一の符号を付している。
【００８１】
研削砥石２の回転軸Ｌ１に垂直な断面における、ワーク８の回転軸Ｌ４、研削砥石２の回転軸Ｌ１、及び調整車４の回転軸Ｌ２の、それぞれの位置関係については、特に制限ない。但し、図１及び図２に示す円柱部材の外周加工装置１００のように、ワーク８の回転軸Ｌ４が、研削砥石２の回転軸Ｌ１と調整車４の回転軸Ｌ２とを結ぶ線よりも鉛直上方に位置するように構成されていることが好ましい。なお、研削砥石２の回転軸Ｌ１の垂直な断面については、研削砥石２の回転軸Ｌ１方向の中間点での断面とする。上述したように構成することにより、ワーク８に対して、極めて良好に回転力を付与することができる。
【００８２】
（２）円柱部材の製造方法：
次に、本発明の円柱部材の製造方法の一の実施形態について説明する。本実施形態の円柱部材の製造方法は、これまでに説明した、本実施形態の円柱部材の外周加工装置を用いて実現することができる。
【００８３】
本実施形態の円柱部材の製造方法は、図１及び図２に示すように、円柱形状のワーク８の外周面を研削加工する研削工程を含むものである。研削工程は、円柱形状の研削砥石２と、円柱形状の調整車４と、円柱形状のローラブレード６との間に、円柱形状のワーク８を挟むことによって行われる。そして、この研削工程においては、研削砥石２、調整車４、及びローラブレード６のそれぞれを独立して回転駆動させる。この際、ローラブレード６及び調整車４の少なくとも一方を、研削砥石２に対して、その回転軸（回転軸Ｌ３又は回転軸Ｌ２）の延びる方向が傾くように配置し、ローラブレード６及び調整車４の回転力を、ワーク８の外周面に付与することにより、ワーク８を回転軸方向に前進させることができる。
【００８４】
本実施形態の円柱部材の製造方法によれば、ワークに対して、簡便に且つ連続的にセンタレス加工を行うことができ、円筒度に優れた円柱部材を簡便に製造することができる。特に、本実施形態の円柱部材の製造方法によれば、従来のセンタレス加工機では、研削加工が困難であった、円筒度が悪いワークについても、特段の支障なく研削加工を行うことができ、円筒度に優れた円柱部材を製造することができる。
【００８５】
本実施形態の円柱部材の製造方法においては、本実施形態の円柱部材の外周加工装置にて説明した各種の態様を、好適例として採用することができる。例えば、ワークの材質については特に制限はなく、例えば、セラミックス、金属、セラミックス／金属複合材、ガラス、樹脂、繊維強化樹脂、及びゴムからなる群より選択される少なくとも１つの材料を挙げることができる。ワークとして、セラミックス粉末及び溶媒を少なくとも含む原料からなる坏土を押出成形し、含有する水分の少なくとも一部を気化して乾燥した円柱形状のセラミックス成形体を用いた場合に、特段顕著な効果を奏する。
【００８６】
研削砥石によるワークの取り代については、特に制限はないが、ワークの取り代が、０．０１〜２．０ｍｍであることが好ましく、０．０１〜１．２ｍｍであることが更に好ましく、０．０１〜０．７ｍｍであることが特に好ましい。また、ローラブレードの直径が、２０ｍｍよりも大きく、且つ、ワークの直径と比較して小さいことが好ましい。ローラブレードの直径が、ワークの直径に対して、１５０％以下であることが好ましく、１０５％以下であることが更に好ましく、８０％以下であることがより更に好ましく、６５％以下であることが特に好ましい。ローラブレードの材質は、適切な硬度（硬さ）を有するとともに、十分な摩擦抵抗を有するものであることが好ましい。ローラブレードの摩擦抵抗が大きいと、ワークに対して良好に回転力を付与することができる。ローラブレードの硬度が高いと、ワークの加工精度を向上させることができる。ローラブレードの表面の材質は、調整車と同様の材質を挙げることができる。ローラブレードの表面の材質としては、ウレタンゴム、ニトリルゴム、クロロプレンゴム、エチレンゴム、ブチルゴム、フッ素ゴム、シリコンゴム、天然ゴム、エポキシ樹脂、スポンジ及びフェルトからなる群より選択される少なくとも１つの材料であることが好ましく、ウレタンゴム又はシリコンゴムであることが更に好ましい。また、摩擦抵抗を上げるために、ローラブレードの表面が、以下のような特殊構造を有していることも、好ましい形態の一つである。例えば、ローラブレードの表面に細かい凹凸を有する特殊構造、ローラブレードの表面に硬いセラミックス粒子や硬い粒状のゴムチップが分散している特殊構造などを挙げることができる。また、研削砥石の回転軸に対して、前記ローラブレードの回転軸が傾いていてもよい。
【００８７】
本実施形態の円柱部材の製造方法は、ローラブレードによって、研削工程前のワークを、研削砥石及び調整車が配置された箇所まで搬送（すなわち、研削砥石と調整車とローラブレードとの間にワークを挿入）するワーク挿入工程を、更に含んでもよい。また、本実施形態の円柱部材の製造方法は、ローラブレードによって、研削工程によって外周面が研削加工されたワークを搬出するワーク搬送工程を、更に含んでもよい。
【００８８】
本実施形態の円柱部材の製造方法は、図１及び図２に示すような、ワーク８の回転軸Ｌ４が、研削砥石２の回転軸Ｌ１と調整車４の回転軸Ｌ２とを結ぶ線よりも鉛直上方に位置するように構成された円柱部材の外周加工装置１００を用いて行ってもよい。また、図７及び図８に示すような、ワーク８の回転軸Ｌ４が、研削砥石２の回転軸Ｌ１と調整車４の回転軸Ｌ２とを結ぶ線よりも鉛直下方に位置するように構成された円柱部材の外周加工装置５００を用いて行ってもよい。更に、図６に示すような、調整車４の軸方向の前後（ワーク８の進行方向の前後）に、板状の補助案内板２５を有する円柱部材の外周加工装置４００を用いて行ってもよい。
【００８９】
（３）円柱部材の第二の製造方法：
次に、本発明の円柱部材の第二の製造方法の一の実施形態について説明する。本実施形態の円柱部材の第二の製造方法は、これまでに説明した、円柱部材の製造方法（以下、「第一の製造方法」ということがある）とは、円柱形状の調整車を使用する代わりに、板状の案内板を使用する点で相違している。すなわち、本実施形態の円柱部材の第二の製造方法（以下、単に、「第二の製造方法」ということがある）は、円柱形状の研削砥石と、板状の案内板と、円柱形状のローラブレードとの間に、円柱形状のワークを挟み、研削砥石によって、ワークの外周面を研削加工する研削工程を含むものである。この研削工程において、研削砥石、及びローラブレードのそれぞれを独立して回転駆動させる。
【００９０】
第二の製造方法においては、ワークを回転軸方向に前進させるために、以下のいずれかの構成を採用することが好ましい。１つ目は、ローラブレードを、案内板とワークとの接触点を結ぶ第一軸に対して、その回転軸が延びる方向が傾くように配置する。２つ目は、ローラブレードを、研削砥石に対して、その回転軸の延びる方向が傾くように配置する。このように構成することによって、ローラブレードの回転力がワークに伝達し、ワークが回転した際に、良好にワークが前進する。
【００９１】
このような第二の製造方法は、図３及び図４に示す円柱部材の外周加工装置２００を用いて実現することができる。図３は、本発明の円柱部材の製造方法に用いられる円柱部材の外周加工装置を模式的に示す斜視図である。図４は、図３に示す円柱部材の外周加工装置の、研削砥石の回転軸に垂直な断面を模式的に示す断面図である。円柱部材の外周加工装置２００は、円柱形状の研削砥石２と、板状の案内板２４と、円柱形状のローラブレード６と、回転駆動源１２，１６と、を備えている。研削砥石２、ローラブレード６、及び回転駆動源１２，１６については、図１に示す円柱部材の外周加工装置１００の各構成要素と同様に構成されていることが好ましい。図３及び図４に示す円柱部材の外周加工装置２００において、図１に示す円柱部材の外周加工装置１００の各構成要素と同様に構成されているものについては、同一の符号を付している。
【００９２】
板状の案内板２４は、ワーク８の外周面と接触するように配置され、当該ワーク８が前進する際に、ワーク８を所定方向に誘導するための案内となる。案内板２４の材質については、ワークの材質等に応じて適宜決定することができる。特に制限はないが、金属、セラミックス、金属／セラミックス複合材料等を挙げることができる。特に、セラミックス、超硬合金等の耐摩耗性が高い材料が望ましく、これらの溶射、コーティングを行った案内板も好ましい形態の一つである。このような案内板は、案内板の消耗を防ぐことができ、得られるワークの寸法精度を安定させることができる。
【００９３】
図３に示すように、案内板２４の長さは、研削砥石２の回転軸Ｌ１方向の長さと同じであってもよいし、研削砥石２の回転軸Ｌ１方向の長さよりも長いものであってもよい。また、例えば、図５に示す円柱部材の外周加工装置３００のように、研削砥石２が配置されている箇所に対して、案内板２４を有し、この案内板２４のワーク８の進行方向の前後に、板状の補助案内板２５を更に有するものであってもよい。すなわち、図５に示す円柱部材の外周加工装置３００は、案内板２４以外に、別の案内板として、補助案内板２５を更に有している。補助案内板２５は、ワーク８の進行方向の前後において、各ワーク８の側面を補助的に支持するものである。ここで、図５は、本発明の円柱部材の製造方法に用いられる他の円柱部材の外周加工装置を模式的に示す斜視図である。図５に示す円柱部材の外周加工装置３００において、図１に示す円柱部材の外周加工装置１００の各構成要素と同様に構成されているものについては、同一の符号を付している。
【００９４】
また、第二の製造方法においては、図９及び図１０に示すような円柱部材の外周加工装置６００を用いて実現することもできる。図９及び図１０に示す円柱部材の外周加工装置６００は、研削砥石２の回転軸Ｌ１に垂直な断面において、ワーク８の回転軸Ｌ４が、研削砥石２の回転軸Ｌ１と、案内板２４とワーク８の接点とを結ぶ線よりも鉛直下方に位置するように構成されている点が、図３及び図４に示す円柱部材の外周加工装置２００と相違している。ここで、図９は、本発明の円柱部材の製造方法に用いられる更に他の円柱部材の外周加工装置を模式的に示す斜視図である。図１０は、図９に示す円柱部材の外周加工装置の、研削砥石の回転軸に垂直な断面を模式的に示す断面図である。図９及び図１０に示す円柱部材の外周加工装置６００において、図１に示す円柱部材の外周加工装置１００の各構成要素と同様に構成されているものについては、同一の符号を付している。
【００９５】
更に、第二の製造方法においては、図１１に示すような円柱部材の外周加工装置７００を用いて実現することもできる。図１１に示す円柱部材の外周加工装置７００は、図９に示す円柱部材の外周加工装置６００に対して、案内板２４のワーク８の進行方向の前後に、板状の補助案内板２５を更に有するものである。図１１は、本発明の円柱部材の製造方法に用いられる更に他の円柱部材の外周加工装置を模式的に示す斜視図である。図１１に示す円柱部材の外周加工装置７００において、図１に示す円柱部材の外周加工装置１００の各構成要素と同様に構成されているものについては、同一の符号を付している。
【００９６】
（３−１）第二の円柱部材の外周加工装置：
次に、本発明の第二の円柱部材の外周加工装置の一の実施形態について説明する。本実施形態の第二の円柱部材の外周加工装置は、上述した円柱部材の第二の製造方法において使用される外周加工装置である。以下、第二の円柱部材の外周加工装置を、単に「円柱部材の外周加工装置」ということがある。
【００９７】
図３及び図４に示すように、本実施形態の円柱部材の外周加工装置２００は、円柱形状の研削砥石２と、板状の案内板２４と、円柱形状のローラブレード６と、回転駆動源１２，１６と、を備えている。研削砥石２は、円柱形状のワーク８の外周面を研削加工するものである。板状の案内板２４は、研削砥石２との間にワーク８を挟むようにして配置されている。ローラブレード６は、ワーク８の外周面の下方を支持しながら回転するものである。円柱部材の外周加工装置２００においては、以下の２つの構成のうちの少なくとも一方を満たすように構成されている。ローラブレード６が、研削砥石２に対して、その回転軸Ｌ３の延びる方向が傾くように配置された構成。案内板２４が、研削砥石２に対して、案内板２４とワーク８との接触点を結ぶ軸の延びる方向が傾くように配置された構成。そして、円柱部材の外周加工装置２００においては、ローラブレード６の回転力をワーク８の外周面に付与することにより、ワーク８を回転軸方向に前進させるように構成されている。
【実施例】
【００９８】
（実施例１）
図１及び図２に示すような円柱部材の外周加工装置１００を作製した。研削砥石２の直径は、４５５ｍｍ、研削砥石２の長さは、１５０ｍｍとした。調整車４の直径は、２３０ｍｍ、調整車４の長さは、１５０ｍｍとした。ローラブレード６の直径は、３６ｍｍ、ローラブレード６の長さは、７８０ｍｍとした。
【００９９】
研削砥石として、砥粒と、当該砥粒を保持するボンド材とを備えたものを用いた。ボンド材としては、レジンボンドを用い、砥粒（砥材）としては、ダイヤモンド砥粒を用いた。ダイヤモンド砥粒は、番手が＃１２０のものを用いた。調整車の砥材は、ジルコニアとした。ローラブレードの材質は、ウレタンゴムとした。実施例１においては、このウレタンゴムの硬度が、ショアＡ９０である。研削砥石、調整車、及びローラブレードの回転駆動源としては、スピードコントロールモーターを用いた。表１に、研削砥石、調整車、及びローラブレードについて、それぞれの直径（ｍｍ）、長さ（ｍｍ）、材質を示す。なお、表１の砥粒の材質の欄において、レジンボンドを用いたダイヤモンド砥粒を称して、「レジン」と記す。また、表１の回転駆動源の欄において、ローラブレードが、回転駆動源を有する場合を「有り」と記す。表１の回転駆動源の欄において、ローラブレードが、回転駆動源を有さない場合を「無し」と記す。なお、ウレタンゴムの硬度（ショアＡ）は、タイプＡデュロメーターによって測定した値である。
【０１００】
円柱部材の外周加工装置において、研削砥石の回転軸に対して、ローラブレードの回転軸のなす角が、２．３°となるように配置した。また、研削砥石の回転軸に対して、調整車の回転軸のなす角が、２．３°となるように配置した。表２に、研削砥石の回転軸に対する、調整車、及びローラブレードのそれぞれの回転軸の角度（°）を示す。
【０１０１】
実施例１の円柱部材の外周加工装置を用い、表３に示す、１５種類のワークのそれぞれを被加工物として、円筒部材の製造を行った。表３に、ワークの種類を示す。ワーク１〜１３は、セラミックス原料からなる坏土を押出成形し、含有する水分の少なくとも一部を気化して乾燥した円柱形状のセラミックス乾燥体である。ワーク１〜４，９〜１３は、直径が６０ｍｍ、長さが１２０ｍｍであった。ワーク５は、直径６０ｍｍ、長さ２２０ｍｍであった。ワーク６は、直径６０ｍｍ、長さ２６０ｍｍであった。ワーク７は、直径４５ｍｍ、長さ１２０ｍｍであった。ワーク８は、直径８０ｍｍ、長さ１００ｍｍであった。
【０１０２】
ワーク１４は、金属（ＳＵＳ３０３）製の円筒体を用いた。ワーク１４は、直径６０ｍｍ、長さ１２０ｍｍであった。ワーク１５は、グラファイト製の円筒体を用いた。ワーク１５は、直径６０ｍｍ、長さ１２０ｍｍであった。
【０１０３】
ワーク１〜４について、研削砥石による１回の研削加工（１パス）による取り代を、以下のように設定した。ワーク１〜８の取り代は、０．３ｍｍとした。ワーク９の取り代は、０．０１ｍｍとした。ワーク１０の取り代は、０．７ｍｍとした。ワーク１１の取り代は、１．０ｍｍとした。ワーク１２の取り代は、１．２ｍｍとした。ワーク１３の取り代は、０．８ｍｍとした。ワーク１４の取り代は、０．０１ｍｍとした。ワーク１５の取り代は、０．０５ｍｍとした。表３に、ワーク１〜１５のそれぞれの取り代を示す。
【０１０４】
ワーク１，７〜１０、１３の円筒度は、０．５である。ワーク２の円筒度は、０．２である。ワーク３の円筒度は、０．８である。ワーク４の円筒度は、１．２である。ワーク５の円筒度は、１．５である。ワーク６の円筒度は、２．０である。ワーク１１，１２の円筒度は、０．４である。ワーク１４の円筒度は、０．０２である。ワーク１５の円筒度は、０．０５である。表３に、ワーク１〜１５の円筒度を示す。
【０１０５】
加工は、ワークの外周全面が削り取られるまで、複数回実施した。すなわち、円筒度に対して取り代が小さく、一回の研削加工（１パス）で十分に外周を除去加工できない場合は、二回（２パス）以上の研削加工を実施した。
【０１０６】
実施例１の円柱部材の外周加工装置の、研削砥石、調整車、及びローラブレードの周速（ｍ／ｓ）は、以下の通りである。なお、研削砥石の周速（ｍ／ｓ）は、ワークの種類によって変更した。ワーク１〜１３の場合、研削砥石の周速は、２５ｍ／ｓとし、調整車の周速は、０．３９ｍ／ｓとし、ローラブレードの周速は、０．３９ｍ／ｓとした。ワーク１４，１５の場合、研削砥石の周速は、４０ｍ／ｓとし、調整車の周速は、０．３９ｍ／ｓとし、ローラブレードの周速は、０．３９ｍ／ｓとした。表４に、研削砥石、調整車、及びローラブレードの周速（ｍ／ｓ）を示す。
【０１０７】
【表１】
0006625463.tif 000002
【０１０８】
【表２】
0006625463.tif 000003
【０１０９】
【表３】
0006625463.tif 000004
【０１１０】
【表４】
0006625463.tif 000005
【０１１１】
（加工性の評価）
実施例１の円柱部材の外周加工装置の「加工性」について、以下の基準に基づいて評価を行った。加工性の評価は、ワーク１〜１５のそれぞれについて、個別に行った。結果を、表５に示す。
評価「優」：ワークの回転が一定（±１０％以内）で、連続加工される場合を、評価「優」とする。
評価「良」：ワークは回転し、連続加工可能であるが、ワークの前進速度が遅いか、又は前進速度にバラツキがあり、同一ワークの評価「優」と比べて、５０％を超え且つ９０％以内の前進速度でワークが加工される場合を、評価「良」とする。
評価「可」：ワークの回転及び前進は継続するが、ワークの前進速度が非常に遅いか、又は前進速度にバラツキが大きく、同一ワークの評価「優」と比べて、ワークの前進速度が５０％未満となった場合を、評価「可」とする。
評価「不可」：ワークが途中で回転しなくなり、ワークが前進せず加工不可となる場合を、評価「不可」とする。
【０１１２】
（円柱部材の外観の評価）
実施例１の円柱部材の外周加工装置によって製造された円柱部材について、以下の基準に基づいて評価を行った。円柱部材の外観の評価は、ワーク１〜１５のそれぞれについて、個別に行った。結果を、表５に示す。なお、下記評価における「送りマーク」とは、ワークの回転跡のことである。送りマークは目視で確認でき、凹凸が０．０２ｍｍ未満のものを薄い送りマーク、凹凸が０．０２ｍｍ以上のものを送りマークとする。送りマークの凹凸は粗さ計で測定した。結果を、表５に示す。
評価「優」：加工後のワークの円筒度が０．１ｍｍ以下で、送りマークが無い場合を、評価「優」とする。
評価「良」：加工後のワークの円筒度が０．１ｍｍ超、０．２ｍｍ以下で、送りマークが無い場合を、評価「良」とする。
評価「可」：加工後のワークの円筒度が０．２ｍｍ以下で、薄い送りマーク（凹凸が０．１ｍｍ未満）がある場合を、評価「可」とする。
評価「不可」：加工後のワークの円筒度が０．２ｍｍ以上、又は、凹凸が０．１ｍｍ以上の送りマークがある場合を、評価「不可」とする。
【０１１３】
（総合評価）
実施例１の円柱部材の外周加工装置について、以下の基準に基づいて、総合評価を行った。結果を、表５に示す。
評価「合格」：加工性の評価、及び円柱部材の外観の評価の双方において、「優」、「良」、又は「可」の評価である（すなわち、「不可」の評価がない）。
評価「不合格」：加工性の評価、及び円柱部材の外観の評価の少なくとも一方において、「不可」の評価がある。
【０１１４】
【表５】
0006625463.tif 000006
【０１１５】
（実施例２〜７）
研削砥石、調整車、及びローラブレードの構成を、表１に示すように変更した以外は、実施例１と同様にして円柱部材の外周加工装置を作製した。実施例４では、ローラブレードの材質として、硬度がショアＡ５０のウレタンゴムを用いた。実施例５〜７では、調整車及びローラブレードの回転軸の角度を変更した。
【０１１６】
（実施例８、９）
調整車の代わりに、図３及び図４に示す円柱部材の外周加工装置２００に使用されているような案内板２４を用いて、実施例８、９の円柱部材の外周加工装置を作製した。表１の「調整車」の「直径（ｍｍ）」の欄に、「案内板」と記した場合は、調整車の代わりに案内板を用いたことを意味する。案内板としては、その表面が超硬合金製の板状部材を用いた。表１の「材質」の欄に、「表面超硬板」と記す。また、実施例８、９の円柱部材の外周加工装置は、上記のような案内板を有し、且つ、研削砥石、及びローラブレードの構成を、表１に示すように変更した以外は、実施例１の円柱部材の外周加工装置と同様に構成されたものとした。
【０１１７】
実施例８の円柱部材の外周加工装置における案内板は、案内板のワークと接触する表面が、鉛直方向に対して平行に配置されるものとした。また、実施例９の円柱部材の外周加工装置における案内板は、研削砥石の回転軸に垂直な断面において、左側にワークが存在する状態で、案内板のワークと接触する表面が、鉛直方向に対して、時計回りに４°傾くように配置した。表１の「取り付け角（°）」の欄に、案内板を配置した際の角度を示す。
【０１１８】
（比較例１）
ローラブレードが、回転駆動源を有さないこと以外は、実施例１と同様にして円柱部材の外周加工装置を作製した。比較例１の円柱部材の外周加工装置では、ローラブレードが、自律的に回転駆動せず、ワークの回転力により、ローラブレードが回転するものである。
【０１１９】
（比較例２）
研削砥石、調整車、及びローラブレードのそれぞれの回転軸が、ワークの回転軸と平行となるように構成されていること以外は、実施例１と同様にして円柱部材の外周加工装置を作製した。
【０１２０】
（比較例３）
実施例１の円柱部材の外周加工装置の「ローラブレード」の代わりに、以下のように構成されたブレードを使用したこと以外は、実施例１と同様にして円柱部材の外周加工装置を作製した。比較例３の円柱部材の外周加工装置の「ブレード」は、鉛直上面が、垂直方向（垂直方向と平行の場合が０°）に対して６０°の角度で傾斜した斜面となっており、この斜面にて、ワークの外周面の鉛直下方を支持する。すなわち、比較例３の円柱部材の外周加工装置の「ブレード」は、ローラのように、それ自体が回転しないものである。
【０１２１】
実施例２〜９、及び比較例１〜３の円柱部材の外周加工装置についても、ワーク１〜１５を被加工物として、円筒部材の製造を行った。実施例２〜９、及び比較例１〜３の円柱部材の外周加工装置の「加工性」について、上記基準に基づいて評価を行った。加工性の評価は、ワーク１〜１５のそれぞれについて、個別に行った。また、実施例２〜９、及び比較例１〜３の円柱部材の外周加工装置によって製造された円柱部材の「外観」について、上記基準に基づいて、評価を行った。円柱部材の外観の評価は、ワーク１〜１５のそれぞれについて、個別に行った。また、実施例２〜９、及び比較例１〜３の円柱部材の外周加工装置について、上記基準に基づいて、総合評価を行った。結果を、表５に示す。
【０１２２】
（結果）
実施例１〜９の円柱部材の外周加工装置は、ワーク１〜１５について、加工性の評価、及び円柱部材の外観の評価の双方において、「優」、「良」、又は「可」の評価結果となり、総合評価において、「合格」となるものであった。特に、実施例１〜９の円柱部材の外周加工装置は、ワーク１のような、ワークの円筒度が悪いものであっても、良好なセンタレス加工を行うことができた。また、実施例１〜９の円柱部材の外周加工装置は、種々の材質のワークに対しても、良好なセンタレス加工を行うことができた。一方、比較例１〜３の円柱部材の外周加工装置は、ワーク１のような、ワークの円筒度が悪いものは、センタレス加工を行うことができなかった。また、比較例１〜３の円柱部材の外周加工装置は、特定の材質のワークについては、ワークの円筒度が良くとも、センタレス加工を行うことができなかった。
【産業上の利用可能性】
【０１２３】
本発明の円柱部材の外周加工装置及び円柱部材の製造方法は、円筒度に優れた円柱部材の製造に利用することができる。
【符号の説明】
【０１２４】
２：研削砥石、４：調整車、６：ローラブレード、８：ワーク、８ａ：円柱部材、１２，１４，１６：回転駆動源、２４：案内板、２５：補助案内板、１００，２００，３００，４００，５００，６００，７００：円柱部材の外周加工装置、Ｌ１：回転軸（研削砥石の回転軸）、Ｌ２：回転軸（調整車の回転軸）、Ｌ３：回転軸（ローラブレードの回転軸）、Ｌ４：回転軸（ワークの回転軸）。
【図１】
0006625463.tif 000007
【図２】
0006625463.tif 000008
【図３】
0006625463.tif 000009
【図４】
0006625463.tif 000010
【図５】
0006625463.tif 000011
【図６】
0006625463.tif 000012
【図７】
0006625463.tif 000013
【図８】
0006625463.tif 000014
【図９】
0006625463.tif 000015
【図１０】
0006625463.tif 000016
【図１１】
0006625463.tif 000017